(57)【要約】【課題】水に触ることなくまた、また、コンパクトにまとめた結果、台所に置いても場所も取らないし、噴出口も複数形成することでジェット水流どうし干渉させ、米のどうしの衝突回数も多くなり研ぎ効果を上がり洗米且つ構成備品を少なくし安価にする米を研ぐ装置に対する費用対効果を上げ、さらに大型化してなくコンパクトにまとめた洗米装置なので台所のスペースを取らなく非常に便利な洗米装置の提供【解決手段】噴射部位９に複数形成する噴出口８を噴出管１１の開口部の内部に嵌着され後に搬出管の終端に突設部１４を形成し次ぎに、噴出管１１の始端と洗米槽部４の口元７の縁部は、螺合することで噴射部位９は係止され洗米槽部４と噴出管１１は一体化となり、また、台座１２の長手方向の両端を屈曲させた足１３が形成し噴出管１１の終端に形成する搬出管５の突設部１４が台座１２の中央に挿入することで立設しすることを可能にした。【選択図】  図１
2004181049.tif 000002
【特許請求の範囲】
【請求項１】
米を研ぎ洗いするため洗米槽部の上部に計量蓋と、噴射管の開口部に内設する中央の貫通孔の周囲に複数の噴射口が形成した噴射部位と、該噴射部位と噴射管に搬出管を嵌通し形成した内部通路と、噴射管の開口部と洗米槽部の下部が締結手段で一体化となり搬出管と計量蓋の間に介在する吸入空間とを設けられたことからなる洗米装置。
【請求項２】
請求項１記載の洗米装置において噴射部位の変わりに貫通孔の周囲に複数の噴射口が形成したペットボトル栓を噴射管の開口部に圧入し、ペットボトル栓の貫通孔と噴射管の貫通孔に搬出管が嵌通し係止され、ペットボトル叉は、洗米槽部の下部開口部と噴射管の開口部に締結手段により一体化したことからなる洗米装置。
【発明の詳細な説明】
【０００１】
【産業上の利用分野】本発明は、簡単に家庭用の炊飯器の米を研ぎ洗いする為の洗米装置、また、洗米槽部にペットボトルを利用できる洗米装置の関するものである。
【０００２】
【従来の技術】洗米装置として、特開２０００−２６２４１６（図９）、特開２００１−８７１４６（図１０）が開示されている。
【０００３】まず、特開２０００−２６２４１６（図９）は、中央に水流ガイドパイプを設け水噴出ノズルの下部に設け洗米容器に蓋を溝に固定し、水流で米を蓋に当たり、攪拌し研ぎ洗いするものであった。また、搬出する方法は、蓋４の溝カム４３洗に米が形成することで、洗米時は、溝カムより蓋を依り強く洗米本体を寄せて、蓋の堰止突片をあがり、米は、上部に設けてある米取り部から搬出され研ぎ汁は洗米部の下部に排水用スリットが形成しそこから研ぎ汁を排水する。
【０００４】また、洗米装置の特開２００１−８７１４６（図１０）が前記の洗米方法は、同じで循環水流が発生させる中央に噴射口と水流案内管５を通で同じで水流案内管５に噴出口１ｄに向けて循環水流を生じさせ洗米し洗米の終了時の搬出方法は、前期と異なり洗米器本体１の上部に操作片３ｃは、開閉板３に係止され操作片３ｃを回動操作することで、排米口３ｅから研がれ搬出される。
【０００５】特開２０００−２６２４１６、特開２００１−８７１４６ともに部品数が多くなり本体自身も複雑となりやや大型化になり狭い台所ではスペースを取りすぎる可能が生じてくる。
【０００６】
【発明が解決しようとする課題】特開２０００−２６２４１６も前記説明したように搬出する場合も蓋４に洗米本体１にピン１４が形成され蓋４の溝カム４３に係合し蓋４を回動する。また、反時計方向に回すと、ピン１４は左端位置Ｃまで相対移動する。それに連れ、蓋４は洗米容器１の壁部１１ａの上縁から少し離れて浮上しことで、米を搬出するため構造が必要になるため部品数が多くなり大きめな筐体となりる。
【０００７】また、特開２００１−８７１４６は、前記説明したように循環水流で米を研ぎ洗いするのは、同じ構造で噴出口１ｄの上部に水流案内管５が形成しているが、米の搬出方法に差異があるが、機構を設けて入るため構造が複雑化となることで前記と同様に米の搬出方法は、操作片部３ｃで操作することで米を搬出する。操作片１ｎを操作し開閉板３することで、前記同様に米を搬出するため構造が必要になるため部品数が多くなり大きめな筐体となり米を研ぐための装置と考えた場合の費用対効果が良くなる価格設定は難しくなる可能性がある。
【０００８】また、特開２０００−２６２４１６、特開２００１−８７１４６と同様に使用する噴射ノズルは、単数なため該噴射ノズルから噴射し水流どうしの干渉が生じないため、発生し難にくく米どうしの衝突の回数が少なく、要するに研ぎ効果は、低くなる可能性が生る。
【０００９】ここで前記の問題点を本発明の目的は、循環水流にどうし干渉させ研ぎ効果を上げ、米の搬出も複雑な機構も一切なく簡単構造である。また、一般家庭で使用する場合は、コンパクトにしなければ狭い台所では、使い勝手が悪くなり主婦でも簡単の操作できる構造で使用しなければならないので、機構がなく構造が簡単にし価格を押さえるようにしなければならない。要するに研ぎための装置としての価格に見合う費用対効果を上げなければならないので、これら問題点を解決するために洗米装置を提供するものである。
【００１０】今まで説明に使用した符号は、下記以降の符号は、必ずしも一致するものではない。
【００１１】
【発明が解決するための手段】上記の問題点を解決するため本発明は、噴射管５の側部に供給管を設け噴射管５の開口部に干渉される為の複数噴出孔８が形成した噴出部位９を内部に挿着された後に噴出部位９の貫通孔１７と噴射管５の下部に形成する貫通孔３２に搬出管５を各々に嵌通され噴射部位９と噴出管１１に搬出管５は保持される。また、噴射管５の開口部にボトル形を形成する洗米槽部４の下部が漏洩なく螺着され洗米槽部６の上部は、計量蓋２に漏洩なく螺着する。噴出管１１の供給管１６が挿着固定され該供給管１６と水道蛇口２５の間に介在するホース１９で水道水３１が供給される。該洗米本体７は、計量蓋２、噴出管１１、噴射部位９、噴射管８、洗米槽部４で構成され構成部品も少なくし、コンパクトにまとめ費用対効果に見合うだけの価格に設定することができる。
【００１２】
【発明の実施の形態】図１ないし図８を参照し洗米装置１の実施形態について説明する。
【００１３】まず、図１は洗米装置１の斜視図を示した図です。洗米装置１の構成部品は、洗米器本体７と台座１２から構成され、また、該洗米本体７は、計量蓋２、噴出管１１、噴射部位９、計量蓋２、ボトル形を形成した洗米槽部４で構成され今までよりも構成部品が少ないことが理解できたと思います。これは米を搬出するための機構がなく噴出管１１は、米の搬出と研ぎ汁２０（図指示無し）の排水を同時に行うことから、搬出するための複雑な機構もなく構造非常に簡単価格を易くすることが出来るし、また、老人や主婦でも簡単に扱うことができる。前記の洗米槽部４の変わりペットボトル２７でも使用可能である。
【００１４】図２は洗米装置１を示した図で、まず、弾性体か樹脂系からなる複数の噴出口８を形成する噴射部位９は、供給管１６を設けてある噴出管１１の開口部に螺刻を形成した奥に挿入し嵌着されその後に搬出管５が噴射部位９の中央に形成した貫通孔１７、そして噴出管１１の下部中央に形成した貫通孔３２に適宜長さの突設部１４を形成するまで嵌通される。このことで噴射部位９と噴出管１１に搬出管５は、保持される。次ぎに、噴出管１１の開口部とボトル形を形成した洗米槽部４の下部開口部は、漏洩なく螺着されたことで一体化となり噴射部位９は、狭持され且つ該噴射部位９が介在し狭持されたことで気密性が増す。このことから噴射部位９は、噴射ノズル、気密性、保持力する三つの役目を有する。搬出管５は、噴出管１１と噴射部位９に保持され搬出管５と噴射管１１の間に介在する内部通路１０が形成し該内部通路１０の上部に噴射部位９の複数の噴射口８がくるように設ける。このことで、供給管１６、内部通路１０、噴射口８、洗米槽部４の流路が形成する。また、洗米槽部４の上部開口部の形成した掛止部３４に計量蓋２が漏洩なく螺着され且つ、計量蓋４と搬出管５の吸入口３の間に吸入空間部１８が形成される。また、搬出管５の吸入口３は、洗米槽部４に挿入できる程度の末広がりの形状をしても可能である。
【００１５】台座１２の長手方向の両端を屈曲させたことで突片した屈曲部１３が形成され噴出管１１の終端に形成する搬出管５の突設部１４が台座１２の中央に洗米器本体７が脱着可能に挿着し立設し、台所に洗米装置１が載置する。台座１２と洗米器本体７は、脱着可能なので個々に分離し、該洗米器本体７から洗米槽部４も分離可能に螺着してあるので、これも分離しスペースの取らないコンパクトになり台所の隅に収納する時も便利である。
【００１６】図３（ａ）より図２のＡ−Ａ断面を描いたもので中央に搬出管５が貫通孔１７に嵌通され該貫通孔１７の周縁から放射状に伸びた複数噴出口８が配設され形成される。また、（ｂ）、（ｃ）、（ｄ）は、噴出部位を示した図である。まず、噴出部位の中央に貫通孔１７が形成され各種噴出口８を示した図で、（ｂ）は、噴出部位９の貫通孔１７の周囲に配設した噴出口８を形成した図で、（ｃ）は、噴出部位９の貫通孔１７に配設に異形の噴出口８どうしで形成した図です。（ｄ）は、搬出管５に挿入する噴出部位９の貫通孔１７に干渉がなく噴出部位９と噴出管１１の間に複数噴出口８が形成する。異形の噴出口８でも可能である。
【００１７】図４より実際使用例を説明する。まず、水道蛇口２５にホース１９と供給管１６が連結部材３０で係合し水道蛇口２５により水道水３１を洗米装置１に供給したり供給を停止したりする。まず、計量蓋２は計量カップになっているので計量しながら、洗米槽部４の上部開口部から適量の米を搬入し搬入後に該洗米槽部４の上部開口部と計量蓋２は、漏洩なく螺着することで一体化となり台座１２の中央に洗米器本体７の突設部１４に挿着し立設する。
【００１８】その後に水道水３１を供給するため水道蛇口２５から供給管１６、内部通路１０に流れ水道水３１は、噴水部位１の噴射ノズルの機能を満足し複数の噴射口８から勢いよく流速の増した複数のジェット水流２６（図中の実線矢印、以後省略）により洗米槽部４内に水道水３１が供給され、水位が上昇し米は、吹き上げられ、このことで米が研がれる領域の洗米空間２４と研ぎ汁２０と空気室２１の３層が形成され、洗米空間２４の高さは、搬出管５が見える長さの８０％付近になるように水道蛇口２５で水道水３１の供給量を調整する。
【００１９】複数のジェット水流２６が米を吹き上げることで該複数のジェット水流２６どうしが干渉し合い、洗米空間２４に循環流２２（図中の一点鎖線矢印、以後省略）が形成する。と同時ボトル形を形成した洗米槽部４の下部は狭窄となっているため、米の自重で押し詰められたようになり、洗米空間２４内の循環流２２で米が従動し何回も衝突を繰り返すことで米は、研がれ研ぎ効果を増すと同時に研ぎ汁２０は、吸入口３より水道水３１の圧力により強制的に排出口１５から、外部に排水される。
【００２０】これと同時に洗米空間２４の水位は高くなり研ぎ汁２０も同時に水面も高くなり空気室２１に空気溜りが形成し空気室２１の圧力と釣り合って水位が停止し吸入口３から研ぎ汁２０は、最初は白く濁っているのですが数十秒経過すると研ぎ汁２０は、透き通りこれが終了時間の目安となり洗米は終了する。
【００２１】次ぎに、洗米が終了し米の搬出する方法の説明する。米の搬出する方法は簡単で水道蛇口２５で水道水３１の水量を今までよりも増すことで、複数のジェット水流２６が今以上勢いよくなり、洗米空間２４と研ぎ汁２０の水位は高くなり空気室２１は洗米空間２４も上昇するため圧縮され循環流２２が吸入口３よりも上昇したところに水道蛇口２５で調整する。このことで米が搬出管５の吸入口３から外部に水道水３１により強制的に研ぎ汁２０に混じって米が図中の矢印２点鎖線のようにして搬出管５よりザルの機能を持った受体２３に自動的に搬出され、研ぎ汁２０は排水される。これは、水道水３１を利用して米の搬出を行うことで操作は非常に簡単である。
【００２２】図５より米の搬出する別方法の説明する。前記は、米洗器本体７に台座１２を係止したことで水道水３１で米の搬出を行っていたが別方法とは、台座１２を使用しなく米洗器本体７を把持し反転することで米の搬出する。つまり、米洗器本体７を反転し計量蓋２を下に向けることで米の自重とジェット水流２６で計量蓋２に米が集まり、搬出管５の吸入口３から吸い上げられ易く、搬出口１５の吸入口３から研ぎ汁２０と米が同時に搬出され矢印（図中の２点鎖線）のように受体２３に自動的に搬出される。この場合は、計量蓋２の上部（開口部の反対側）は、外部に突面を形成し内部に設けてある搬出管５の吸入口３の近設に米を集まり易い形状でもよい。
【００２３】今まで説明してきた、洗米槽部４と螺着した計量蓋２で形成していた構成部品をペットボトル２７に変えた場合の図６より説明をする。
【００２４】まず、今までは洗米槽部４の上部開口部から米を搬入していた後
計量蓋２で螺着し密閉していたがペットボトル２７の開口部は、狭窄になっているので該開口部から米を搬入する場合は、ジョウロでペットボトル２７内に搬入する。次に搬出管５内に栓と棒で形成された防御栓２８を遊挿し搬出管５の吸入口３から僅か防御栓２８の栓が突出した状態にし噴出管１１と防御栓２８を把持しペットボトル２７内に差し込むようにいれる。また、噴出管１１にペットボトル２７を漏洩なく螺着することで一体化になり、その後、洗米器本体７を反転させ、ペットボトル２７の狭窄部の方に米が集り、そのとき防御栓２８を搬出管５から抜き取る。
【００２５】図７より実際使用例の前記と同様に洗米方法の説明する。これは前記説明と同で、まず、水道蛇口２５にホース１９と供給管１６が連結部材３０で係止され水道蛇口２５により水道水３１を洗米装置１の供給管１６より供給し内部通路１０に流れ噴水部位１の噴射ノズルの機能を満足し複数の噴射口８から複数のジェット水流２６により該洗米空間２４内に循環流２２は形成されと同時に米どうしも狭窄の洗米槽部４は押し詰められ、該洗米槽部４の米は、何回も衝突が繰り返すことで研がれ、研ぎ効果を増すようになる。且つ、研ぎ汁２０は、吸入口３より排水され、該研ぎ汁２０は、最初は白く濁っているが数十秒経過すると研ぎ汁２０は透き通りこれが終了時間の目安となり洗米は終了する。
【００２６】次ぎに、洗米が終了し米の搬出する方法の説明する。米の搬出する方法は簡単で水道蛇口２５で水道水３１の水量を今までよりも増すことで、複数のジェット水流２６も勢いよく噴出しているので、洗米空間２４は上昇し循環流２２が吸入口３よりも上昇することで、米が搬出管５の吸入口３から強制的に搬出され外部に水道水３１により強制的に研ぎ汁２０に混じった米は、矢印（図中の２点鎖線）のようにして受体２３に搬出される。
【００２７】図８より噴射部位９をペットボトル２７のペットボトル栓２９に代用した場合の説明する。また、この場合は、洗米槽部４（図指示無し）も螺着可能である。
【００２８】搬出管５が貫通孔１７に嵌通され貫通孔１７の周縁から放射状に伸びた複数噴出口８が配設され形成されたペットボトル栓２９を噴射管１１の上部の開口部に熱を加えペットボトル栓２９を固着された後に搬出管５がペットボトル栓２９の貫通孔１７と噴射管１１の下部の貫通孔３２に搬出管５の突設部１４が形成するまで漏洩なく嵌通される。搬出管５は、ペットボトル栓２９と噴射管１１に保持されペットボトル２７は、噴射管１１の開口部にペットボトル栓２９を設けたことで漏洩なく螺着する。実施形態は、前記説明と同じで供給管１６より搬出管５と噴射管１１の間に介在する内部通路１０を経てペットボトル栓２９に複数形成した噴出口８からジェット水流２６が発生させる。
【００２９】
【発明の効果】以上説明したように本発明の洗米装置は、水に触れるころ無く
また、コンパクトにまとめた結果、台所に置いても場所も取らないし、噴出口も複数形成することでジェット水流どうしの干渉で、米のどうしの衝突回数も多くなり研ぎ効果が上がり、また、米の搬出と研ぎ汁は搬出管を使用し米の搬出は、水道水で自動的に行うため、米の搬出の為に複雑な機構もないので部品数も少なく製造コストも低く押さえ米を研ぐ装置を考えた場合の費用対効果は、従来品よりは、良くなることは確実である。
【図面の簡単な説明】
【図１】洗米装置の斜視図である。
【図２】洗米装置の断面図である。
【図３】図２のＡ−Ａ断面図の（ａ）図で噴出部位の噴出口を示し、（ｃ）、（ｄ）、（ｅ）は噴出部位上おける噴出口の各種を示した図である。
【図４】洗米槽部を使用した場合の米、水流、研ぎ汁の流れの断面図である。
【図５】搬出の別方法の断面図である。
【図６】ペットボトルと防御栓の係合断面図である。
【図７】ペットボトルを使用した場合の米、水流、研ぎ汁の流れの断面図である。
【図８】噴出部位８の変わりペットボトル栓２９を用いた場合の断面図である。
【図９】他例洗米装置の洗米状態を示す断面図である。
【図１０】他例洗米装置の洗米状態を示す断面図である。
【符号の説明】
１  洗米装置
２  計量蓋
３  吸入口
４  洗米槽部
５  搬出管
６  洗米空間
７  洗米器本体
８  噴出口
９  噴出部位
１０  内部通路
１１  噴出管
１２  台座
１３  屈曲部
１４  突設部
１５  搬出口
１６  供給管
１７  ３２  貫通孔
１８  吸入空間部
１９  ホース
２０  研ぎ汁
２１  空気室
２２  循環流
２３  受体
２４  洗米空間
２５  水道蛇口
２６  ジェット水流
２７  ペットボトル
２８  防御栓
２９  ペットボトル栓
３０  連結部材
３１  水道水
３３  搬出ホース
３４  掛止部
【図１】
2004181049.tif 000003
【図２】
2004181049.tif 000004
【図３】
2004181049.tif 000005
【図４】
2004181049.tif 000006
【図５】
2004181049.tif 000007
【図６】
2004181049.tif 000008
【図７】
2004181049.tif 000009
【図８】
2004181049.tif 000010
【図９】
2004181049.tif 000011
【図１０】
2004181049.tif 000012